(57)【要約】【課題】  係止部材の組付けを容易にするとともに、組み付けられた係止部材の脱落を防止する。【解決手段】  表示器２２はロアーケース３の表示器載置部８に起伏自在となるように回動自在に支持されている。ブラケット１３に取り付けられた係止部材２０に、表示器載置部８の開口から出没自在な被係止部２５が摺接し摩擦力によって表示器２２が起きた状態を保持される。係止部材２０の中空部をブラケット１３の舌片１７に圧入することにより係止部材２０はブラケット１３に弾性保持される。このブラケット１３を表示器載置部８に取り付けると、表示器載置部８に一体に突設された規制片１１によって係止部材２０の舌片１７からの脱落が規制される。【選択図】  図７
2005268944.tif 000002
【特許請求の範囲】
【請求項１】
開口を有する表示器載置部が設けられた装置筐体と、前記表示器載置部に対して起伏自在となるように前記装置筺体に回動自在に支持され、前記開口から出没自在な被係止部を有する表示器と、前記被係止部が摺接し摩擦力によって前記表示器が起きた状態を保持し弾性材によって形成した係止部材と、この係止部材が取り付けられ前記装置筺体に着脱自在に取り付けられるブラケットとを備え、前記ブラケットに舌片状の保持部を突設するとともに、前記係止部材に前記保持部に弾性保持される中空部を設け、前記装置筺体に前記係止部材が前記ブラケットの保持部からの脱落を規制する規制片を一体に設けたことを特徴とする表示器の取付構造。
【請求項２】
請求項１記載の表示器の取付構造において、前記規制片は、前記開口の前記表示器の被係止部で覆われていない部位を覆っていることを特徴とする表示器の取付構造。
【請求項３】
請求項２記載の表示器の取付構造において、前記表示器に嵌入溝を設け、前記規制片に、表示器が倒伏することにより前記嵌入溝内に嵌入し、この嵌入溝の内面に係合する凸条体を設けたことを特徴とする表示器の取付構造。
【発明の詳細な説明】
【技術分野】
【０００１】
本発明は、電子機器等に設けられた表示器の取付構造に関し、特に表示角度が可変可能な表示器の取付構造に関するものである。
【背景技術】
【０００２】
従来の表示器の取付構造は、装置筺体に起伏自在に支持される表示器と、この表示器の被係止部が摺接し摩擦力によって表示器が起きた状態を保持する係止部材と、この係止部材を装置筺体に取り付けるブラケットとを備え、前記係止部材に中空部を設け、前記ブラケットに舌片状の保持部を突設し、この保持部に中空部を圧入することにより係止部材をブラケットに弾性保持するものがある（例えば、特許文献１，２参照）。なお、本出願人は、本明細書に記載した先行技術文献情報で特定される先行技術文献以外には、本発明に密接に関連する先行技術文献を出願時までに見付け出すことはできなかった
【特許文献１】特願２００３−０５４４７０号明細書（段落「００２１」、図７）
【特許文献２】特願２００３−３０６０２５号明細書（段落「００１４」、図６）
【発明の開示】
【発明が解決しようとする課題】
【０００３】
上述した従来の表示器の取付構造においては、表示器の表示角度を可変するために起伏動作を繰り返し行うことによって、係止部材とこれに摺接する被係止部との間の摩擦力によって係止部材が被係止部の移動に随伴して移動してしまい、ブラケットの保持部から脱落するという問題があった。
【０００４】
本発明は上記した従来の問題に鑑みなされたものであり、その目的とするところは、係止部材の組付けを容易にするとともに、組み付けられた係止部材の脱落を防止することにある。
【課題を解決するための手段】
【０００５】
この目的を達成するために、請求項１に係る発明は、開口を有する表示器載置部が設けられた装置筐体と、前記表示器載置部に対して起伏自在となるように前記装置筺体に回動自在に支持され、前記開口から出没自在な被係止部を有する表示器と、前記被係止部が摺接し摩擦力によって前記表示器が起きた状態を保持し弾性材によって形成した係止部材と、この係止部材が取り付けられ前記装置筺体に着脱自在に取り付けられるブラケットとを備え、前記ブラケットに舌片状の保持部を突設するとともに、前記係止部材に前記保持部に弾性保持される中空部を設け、前記装置筺体に前記係止部材が前記ブラケットの保持部からの脱落を防止する規制片を一体に設けたものである。
【０００６】
請求項２に係る発明は、請求項１に係る発明において、前記規制片は、前記開口の前記表示器の被係止部で覆われていない部位を覆っているものである。
【０００７】
請求項３に係る発明は、請求項２に係る発明において、前記表示器に嵌入溝を設け、前記規制片に、表示器が倒伏することにより前記嵌入溝内に嵌入し、この嵌入溝の内面に係合する凸条体を設けたものである。
【発明の効果】
【０００８】
請求項１に係る発明によれば、弾性変形させながら係止部材をブラケットの保持部に圧入し、係止部材を保持部に弾性保持するようにしたことにより、組付けが容易になるとともに接着剤等が不要になる。また、係止部材が組み付けられたブラケットを装置筺体に取り付けることにより、装置筺体に一体に設けた規制片によって係止部材の脱落が防止される。
【０００９】
請求項２に係る発明によれば、開口が表示器の被係止部と規制片とによって覆われるため、開口からの異物等の侵入を阻止することができる。
【００１０】
請求項３に係る発明によれば、表示器を起こした状態においては、凸条体によって異物の侵入が阻止される。また、表示器を倒伏させた状態においては、嵌入溝の内面と凸条体との係合によって表示器が保持されるため、表示器の遊動を規制することができる。
【発明を実施するための最良の形態】
【００１１】
以下、本発明の実施の形態を図に基づいて説明する。図１は本発明の表示器の取付構造を適用した電話機全体の外観を示す斜視図、図２は同じく表示器を取り外した状態の電話機全体の外観を示す斜視図、図３は同じくブラケットに係止部材を取り付ける方法を説明するための要部の斜視図、図４は同じくブラケットを示し、同図（Ａ）は平面図、同図（Ｂ）は正面図、同図（Ｃ）は側面図、図５は同じく表示器の背面側の斜視図、図６は図２におけるVI-VI 線断面図、図７は同じく電話機の一部を破断した側面図で、同図（Ａ）は表示器を倒伏させた状態を示し、同図（Ｂ）は表示器を起こした状態を示す。
【００１２】
図１に全体を符号１で示す電話機は、アッパーケース２とロアーケース３とによって装置筺体が形成されており、この装置筺体はダイヤルボタン６と多数の機能ボタン７が設けられた電話機本体４と、送受話器（図示せず）が載置される送受話器載置部５とよって構成されている。アッパーケース２の矢印Ａ方向の端部には、図２に示すように、平面視略細長い長方形で平板状に形成された表示器載置部８が、アッパーケース２の表面よりも低い位置に位置付けられるようにして一体に設けられている。
【００１３】
この表示器載置部８の両端部には、スタッド９，９が一体に立設されており、これらスタッド９，９には、互いに反対方向に向かって軸部９ａ，９ａが一体に突設されている。また、この表示器載置部８の中央部には、長方形に形成された開口１０が設けられており、この開口１０の矢印Ａ方向の端縁の中央部には、矢印Ａ方向と反対の矢印Ｂ方向に向かって規制片１１が水平に一体に突設されている。また、表示器載置部８の裏面には、開口１０を矢印Ａ−Ｂ方向と直交する矢印Ｃ−Ｄ方向において挟むように、図６に示す爪１２ａを有する一対の弾性係合片１２，１２が下方に向かって一体に突設されている。
【００１４】
次に、図３および図４を用いて、ブラケット１３と係止部材２０について説明する。ブラケット１３は、背面板１４とこの背面板１４の両端部に突設した両側部１５，１５とによって、平面視略コ字状に形成されており、両側部１５，１５のそれぞれの外側面には、上下方向に延在する溝１５ａ，１５ａが設けられている。背面板１４の下端部の中央には、平板状に形成した台座１６が水平方向に突設されており、この台座１６上には後述する係止部材２０を保持する保持部としての舌片１７が立設され、背面板１４の内側には舌片１７を挟むように、一対の係合片１８，１８が突設されている。
【００１５】
２０は全体が硬質のゴムによって両端が開口し扁平な角筒状に形成された係止部材であって、中空部２０ａの外形は、舌片１７の外形寸法よりも僅かに小さく形成されている。したがって、この係止部材２０の中空部２０ａを舌片１７に圧入することにより、中空部２０ａが舌片１７に密着し、係止部材２０は舌片１７に被冠されて弾性保持される。このように、係止部材２０を弾性変形させながらブラケット１３の舌片１７に圧入し、係止部材２０を舌片１７に弾性保持するようにしたことにより、組付けが容易になるとともに接着剤等が不要になる。
【００１６】
図５において、２２はプラスチックによって扁平な直方体状に形成された表示器であって、裏面２３の矢印Ｂ方向の端部には、上記した軸部９ａ，９ａが嵌入される軸受用の中空部２４，２４が設けられており、表示器２２は軸部９ａ，９ａに回動自在に支持される。軸受用の中空部２４，２４間には、側面視扇形で中空状に形成されたケーブル導出用の被係止部２５が表示器２２の裏面２３側に一体に突設されており、この被係止部２５の矢印Ｂ側の端部には、図７に示すようにケーブル導出用の開口２６が設けられている。
【００１７】
この被係止部２５の矢印Ｃ−Ｄ方向の両端部には大径部２７，２７が設けられ、中央部には小径部２８が設けられており、これら大径部２７，２７と小径部２８とを連設するようにして互いに対向した被係止面２９ａ，２９ａ（一方の被係止面２９ａは図示せず）が設けられ、これら被係止面２９ａ，２９ａ間の間隔は長さＬ１に形成されている。これら被係止面２９ａ，２９ａの矢印Ａ方向の端部には、上記した係止部材２０との摺接を解除する非摺接面２９ｂ，２９ｂ（一方の非摺接面２９ｂは図示せず）が設けられており、これら非摺接面２９ｂ，２９ｂ間の間隔は長さＬ２に形成されている。
【００１８】
これら被係止面２９ａと非摺接面２９ｂとの境界には段部３０ａ，３０ａが設けられ、これら段部３０ａ，３０ａ間を連設するように、小径部２８には、矢印Ｃ−Ｄ方向に延在するリブ３０ｂが一体に突設されている。これら段部３０ａおよびリブ３０ｂは、後述するように、表示器２２を表示器載置部８上で倒伏状態とし表示角度を０°にすると、係止部材２０の両側部と前端部とがこれら段部３０ａおよびリブ３０ｂに係合する位置に位置付けられている。表示器２２の被係止面２９ａ，２９ａ間の間隔Ｌ１は、上記した摩擦係止部材２０の幅ｌよりも僅かに小さく形成され、かつ非摺接面２９ｂ，２９ｂ間の間隔Ｌ２は、幅ｌよりも僅かに大きく形成されている。大径部２８，２８の矢印Ｂ方向の端部には、係合部３１，３１が一体に突設されている。
【００１９】
このように構成されていることにより、表示器２２を図５に示す状態から表裏を反転させ、軸受用の中空部２４に、表示器載置部７の軸部９ａを挿入することにより、表示器２２が、図７（Ｂ）に示すように、軸部９ａを中心として回動自在に支持され、表示器載置部８上に起伏自在に載置される。表示器２２が倒伏した状態で、図７（Ａ）に示すように、被係止部２５が表示器載置部８の開口１０から表示器載置部８の裏面側に突出し、表示器２２が起きた状態で、図７（Ｂ）に示すように、被係止部２５が表示器載置部８の開口１０から表示器載置部８の表面側に突出する。
【００２０】
この状態としてから、表示器載置部８の弾性係合片１２をブラケット１３の溝１５ａに係入させ、図６に示すように弾性係合片１２を弾性変形させ、弾性係合片１２の爪１２ａを溝１５ａの端部に係合させることにより、ブラケット１３を表示器載置部８の裏面に取り付ける。このとき、ブラケット１３の舌片１７に弾性保持された係止部材２０の上端が、表示器載置部８の規制片１１に係合する。また、表示器２２を起こした状態とするように表示器２２を軸部９ａを中心として回動させると、表示器２２の係合部３１がブラケット１３の係合片１８に係合し、表示器２２の表示器載置部８からの離脱が規制される。このように、表示器２２とブラケット１３とを表示器載置部８に取り付けると、図１に示すように、被係止部２５の大径部２７，２７間に規制片１１が位置付けられる。このため、この規制片１１が大径部２７，２７によって開口１０の覆われていない部位を覆うため、開口１０から異物等の侵入を阻止することができる。
【００２１】
このように取り付けられた表示器２２の被係止面２９ａ，２９ａには、係止部材２０の両側部が所定の押圧力をもって対接する。このため、表示器２２を軸部９ａを中心として回動させると、被係止面２９ａ，２９ａに係止部材２０が摺接するから、これらの間の摩擦力によって、図７（Ｂ）に示すように、表示器２２を表示器載置部８から起こし、所望の表示角度に設定することが可能になる。
【００２２】
この状態から、再び、表示器２２を表示器載置部８に倒伏させて、表示器２２の表示角度を０°とすると、係止部材２０の両側部が表示器２２の非摺接面２９ｂ，２９ｂに対向する。上記したように、非摺接面２９ｂ，２９ｂ間の間隔Ｌ２が係止部材２０の幅ｌよりも大きく形成されているため、係止部材２０の両側部と非摺接面２９ｂ，２９ｂとの圧接が解除される。したがって、被係止面２９ａの押圧による係止部材２０の弾性変形が解除されるから、係止部材２０に、倒伏させた表示器２２を起き上がらせる方向への弾性復帰力が発生しないため、表示器２２を容易に倒伏した状態とすることができる。
【００２３】
また、係止部材２０が被係止面２９ａから非摺接面２９ｂへ移行するときに、段部３０ａおよびリブ３０ｂによって係止部材２０が圧接されながらこれら段部３０ａおよびリブ３０ｂを乗り越える。このため、表示器２２を回動操作する操作者は、表示器２２が表示器載置部８に倒伏させて表示角度を０°とした状態になったことを確認することができるから、確実に表示角度を０°とすることができる。また、このとき、段部３０ａおよびリブ３０ｂが係止部材２０の両側部と前端部とのそれぞれに係合しているため、この係合によって表示器２２の表示角度が０°の状態を確実に保持することができる。さらに、表示器２２を表示角度が０°から起き上がらせるときにも、係止部材２０が段部３０ａおよびリブ３０ｂによって圧接されながら、これら段部３０ａおよびリブ３０ｂを乗り越えるため、表示器２２が起き上がりを開始したことを確認することができるから使い勝手が向上する。
【００２４】
また、ブラケット１３の舌片１７に弾性保持された係止部材２０の上端が表示器載置部８の規制片１１に係合しているため、表示器２２を起伏させるときに、被係止面２９ａと係止部材２０との摩擦力によって、係止部材２０の舌片１７からの脱落を防止することができる。
【００２５】
図８ないし図１０は本発明の第２の実施の形態を示し、図８は表示器を取り外した状態の電話機全体の外観を示す斜視図、図９は表示器の背面側の斜視図、図１０は要部の断面図で、同図（Ａ）は表示器を倒伏させた状態を示し、同図（Ｂ）は表示器を起こした状態を示す。
【００２６】
この第２の実施の形態においては、図８に示すように、規制片１１上に矢印Ｃ−Ｄ方向に延在する凸条体３４が一体に立設されているとともに、図９に示すように、表示器２２の裏面２３に凸条体３４が嵌入する溝３５が矢印Ｃ−Ｄ方向に延在するように設けられている。このように構成されていることにより、表示器２２の表示角度を０°として倒伏させると、図１０（Ａ）に示すように、凸条体３４が表示器２２の溝３５内に嵌入し、凸条体３４の一端面３４ａが溝３５の内面３５ａに係合する。このため、表示器２２は軸部９ａと溝３５の内面３５ａとに挟持されるようにして、表示器載置部８上に支持されるため、表示器２２の表示器載置部８上での遊動を規制することができる。
【００２７】
また、同図（Ｂ）に示すように、表示器２２を起こした状態としたときに、大径部２７，２７によって開口１０の覆われていない部位を覆う規制片１１上に凸条体３４を立設したことにより、開口１０からの異物等の侵入をより確実に阻止することができる。
【００２８】
なお、本実施の形態においては、電話機の表示装置として表示器２２を電話機に取り付けた例を説明したが、電話機以外の各種電子機器に本発明の表示器の取付構造を適用してもよい。
【図面の簡単な説明】
【００２９】
【図１】本発明の表示器の取付構造を適用した電話機全体の外観を示す斜視図である。
【図２】本発明の表示器の取付構造を適用した電話機において、表示器を取り外した状態の全体の外観を示す斜視図である。
【図３】本発明の表示器の取付構造において、ブラケットに係止部材を取り付ける方法を説明するための要部の斜視図である。
【図４】本発明の表示器の取付構造におけるブラケットを示し、同図（Ａ）は平面図、同図（Ｂ）は正面図、同図（Ｃ）は側面図である。
【図５】本発明の表示器の取付構造における表示器の背面側の斜視図である。
【図６】図２におけるVI-VI 線断面図である。
【図７】本発明の表示器の取付構造を適用した電話機の一部を破断した側面図で、同図（Ａ）は表示器を倒伏させた状態を示し、同図（Ｂ）は表示器を起こした状態を示す。
【図８】本発明の第２の実施の形態において、表示器を取り外した状態の全体の外観を示す斜視図である。
【図９】本発明の第２の実施の形態において、表示器の背面側の斜視図である。
【図１０】本発明の第２の実施の形態における要部の断面図で、同図（Ａ）は表示器を倒伏させた状態を示し、同図（Ｂ）は表示器を起こした状態を示す。
【符号の説明】
【００３０】
１…電話機、８…表示器載置部、１０…開口、１１…規制片、１３…ブラケット、１７…舌片、２０…係止部材、２０ａ…中空部、２２…表示器、２５…被係止部、２９ａ…被係止面、３４…凸条体、３５…溝。
【図１】
2005268944.tif 000003
【図２】
2005268944.tif 000004
【図３】
2005268944.tif 000005
【図４】
2005268944.tif 000006
【図５】
2005268944.tif 000007
【図６】
2005268944.tif 000008
【図７】
2005268944.tif 000009
【図８】
2005268944.tif 000010
【図９】
2005268944.tif 000011
【図１０】
2005268944.tif 000012